(57)【要約】【課題】各手指を収容する指袋を予め掌側に屈曲させたガンカット型の縫製手袋を得る。【解決手段】  ガンカット型の縫製手袋１は、伸縮性を有する甲側パーツ１０、掌側パーツ２０、親指パーツ３０とが縫合されて構成される。掌側パーツ２０及び甲側パーツ１０には、手指の第３関節から先端に対応する位置において、縫合位置を合わせるための位置合わせ指標部が複数設けられており、掌側パーツ２０における複数の位置合わせ指標部間の第１の距離が、当該複数の位置合わせ指標部に対応する甲側パーツ１０における複数の位置合わせ指標部間の第２の距離よりも小さくなっている。【選択図】図１
2019151939.tif 000002
【特許請求の範囲】
【請求項１】
伸縮性を有する掌側パーツと甲側パーツとが縫合されてなるガンカット型の縫製手袋において、
前記掌側パーツ及び前記甲側パーツには、手指の第３関節から先端に対応する位置において、縫合位置を合わせるための位置合わせ指標部が複数設けられており、
前記掌側パーツにおける複数の位置合わせ指標部間の第１の距離が、当該複数の位置合わせ指標部に対応する前記甲側パーツにおける複数の位置合わせ指標部間の第２の距離よりも小さくなっていることを特徴とする、縫製手袋。
【請求項２】
前記掌側パーツの前記先端側における前記第１の距離の前記第２の距離に対する比率と、前記掌側パーツの前記中手指節関節側における前記第１の距離の前記第２の距離に対する比率とが異なっている、
請求項１に記載の縫製手袋。
【請求項３】
前記掌側パーツの前記先端側における前記第１の距離の前記第２の距離に対する比率が、前記掌側パーツの前記中手指節関節側における前記第１の距離の前記第２の距離に対する比率よりも小さい、
請求項２に記載の縫製手袋。
【請求項４】
前記複数の位置合わせ指標部のうちの少なくとも１つが、手指の関節に対応する位置に設けられている、
請求項１乃至３の何れかに記載の縫製手袋。
【発明の詳細な説明】
【技術分野】
【０００１】
本発明は、ガンカット型の縫製手袋に関する。
【背景技術】
【０００２】
縫製手袋において、小指から人差し指までの４本の手指をそれぞれ収容する指袋が予め掌側に屈曲されていると、装着者がこれらの手指を容易に折り曲げることができ、また折り曲げた際のだぶつきを少なくすることができる。そのため、特に作業用及びスポーツ用等の縫製手袋において、このような構造が求められる。上記のような指袋は、指平側に位置する縫合部を工夫することにより実現することができるが、指平側の縫合部が存在しないガンカット型の縫製手袋では実現困難である。そのため、指平側の縫合部の工夫以外の方法で指袋の屈曲を実現するために、種々の技術が提案されている。
【０００３】
例えば、特許文献１には、手指の甲面を被覆する指甲材と手指の平面及び左右各側面をそれぞれ被覆する幅を有した指平材とで指袋を縫製している一方、前記指平材における指関節部が対応する位置に、指平材の左右両側縁の各一部を残して凹弧状端縁が対向配置された形状の略楕円穴を形成した縫製手袋が開示されている。この縫製手袋の場合、上記の略楕円穴の各凹弧状端縁同士をその各凹弧状端縁に沿って相互に縫合することによって、指甲材を含めて指袋全体を掌側に向けて屈曲させることができる。
【先行技術文献】
【特許文献】
【０００４】
【特許文献１】特開２００７−２７７８０１号公報
【発明の概要】
【発明が解決しようとする課題】
【０００５】
しかしながら、上述した従来の縫製手袋の場合、各凹弧状端縁同士をその各凹弧状端縁に沿って相互に縫合するという手間が発生するため、高コスト化を招くという問題が生じる。
【０００６】
本発明は、かかる事情に鑑みてなされたものであり、上述した課題を解決することができるガンカット型の縫製手袋を提供することを目的とする。
【課題を解決するための手段】
【０００７】
上記課題を解決するため、本発明の一の態様の縫製手袋は、伸縮性を有する掌側パーツと甲側パーツとが縫合されてなるガンカット型の縫製手袋において、前記掌側パーツ及び前記甲側パーツには、手指の第３関節から先端に対応する位置において、縫合位置を合わせるための位置合わせ指標部が複数設けられており、前記掌側パーツにおける複数の位置合わせ指標部間の第１の距離が、当該複数の位置合わせ指標部に対応する前記甲側パーツにおける複数の位置合わせ指標部間の第２の距離よりも小さくなっていることを特徴とする。
【０００８】
上記態様において、前記掌側パーツの前記先端側における前記第１の距離の前記第２の距離に対する比率と、前記掌側パーツの前記中手指節関節側における前記第１の距離の前記第２の距離に対する比率とが異なっていてもよい。
【０００９】
また、上記態様において、前記掌側パーツの前記先端側における前記第１の距離の前記第２の距離に対する比率が、前記掌側パーツの前記中手指節関節側における前記第１の距離の前記第２の距離に対する比率よりも小さくてもよい。
【００１０】
さらに、上記態様において、前記複数の位置合わせ指標部のうちの少なくとも１つが、手指の関節に対応する位置に設けられていてもよい。
【発明の効果】
【００１１】
本発明によれば、簡易な構成で各手指部分を掌側に屈曲させることができる。
【図面の簡単な説明】
【００１２】
【図１】実施の形態１の縫製手袋の概略構成を示す斜視図。
【図２】実施の形態１の縫製手袋を構成する甲側パーツの概略構成図。
【図３】実施の形態１の縫製手袋を構成する掌側サブパーツの概略構成図。
【図４】実施の形態１の縫製手袋を構成する掌側サブパーツの概略構成図。
【図５】実施の形態１の縫製手袋の側面を模式的に示す図。
【図６】従来の縫製手袋を構成する甲側パーツの概略構成図。
【図７】従来の縫製手袋を構成する掌側サブパーツの概略構成図。
【図８】従来の縫製手袋の側面を模式的に示す図。
【図９】実施の形態２の縫製手袋を構成する甲側パーツの概略構成図。
【図１０】実施の形態２の縫製手袋を構成する掌側サブパーツの概略構成図。
【図１１】実施の形態２の縫製手袋の側面を模式的に示す図。
【発明を実施するための形態】
【００１３】
以下、本発明の好ましい実施の形態を、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１４】
（実施の形態１）
［縫製手袋の構成］
図１は、実施の形態１のガンカット型の縫製手袋の概略構成を示す斜視図である。図１に示すように、縫製手袋１は、甲側パーツ１０と、掌側パーツ２０と、親指パーツ３０とを備えている。これらの甲側パーツ１０、掌側パーツ２０、及び親指パーツ３０は、伸縮性を有する生地で構成されている。掌側パーツ２０は、人差し指及び小指の掌側を収容する部分を有する掌側サブパーツ２０ａと、中指及び薬指の掌側を収容する部分を有する掌側サブパーツ２０ｂとで構成されている。
【００１５】
縫製手袋１は、甲側パーツ１０、掌側パーツ２０、及び親指パーツ３０が所定の手順で縫合されることにより製作される。その際、各パーツに設けられた縫合位置を合わせるための位置合わせ指標部（以下、単に「指標部」という）を用いて縫い合わせられる。
【００１６】
図１に示すように、縫製手袋１は、人差し指から小指までの各手指の指袋部分が予め掌側に屈曲している。この形状を実現するために、本実施の形態では、甲側パーツ１０に設けられた複数の指標部間の距離と、それらの指標部と対応して掌側パーツ２０に設けられている複数の指標部間の距離とを異ならせている。以下、各パーツの詳細について説明する。
【００１７】
［甲側パーツの構成］
図２は甲側パーツ１０の概略構成図である。図２に示すように、甲側パーツ１０は、人差し指の甲側を収容する甲側人差し指部分１１、中指の甲側を収容する甲側中指部分１２、薬指の甲側を収容する甲側薬指部分１３、及び小指の甲側を収容する甲側小指部分１４を有している。
【００１８】
甲側パーツ１０の外縁の所定の位置には、三角突起状の指標部ａ１〜ｈ１が形成されている。このうち、指標部ａ１及びｈ１は、手首に対応する位置に設けられており、それ以外の指標部ｂ１〜ｇ１は、上記の各手指の収容部分１１〜１４に設けられている。具体的には、指標部ｂ１及びｃ１が、甲側人差し指部分１１の第３関節及び先端に対応する位置に、指標部ｆ１及びｇ１が、甲側小指部分１４の先端及び第３関節に対応する位置に、それぞれ設けられている。また、指標部ｄ１及びｅ１が、甲側中指部分１２及び甲側薬指部分１３の先端に対応する位置に、それぞれ設けられている。
【００１９】
［掌側パーツの構成］
図３は掌側サブパーツ２０ａの概略構成図、図４は掌側サブパーツ２０ｂの概略構成図である。図３に示すように、掌側サブパーツ２０ａは、人差し指の掌側を収容する掌側人差し指部分２１及び小指の掌側を収容する掌側小指部分２２を有している。なお、掌側人差し指部分２１及び掌側小指部分２２の下端部にある符号２３は、切り込みを示している。
【００２０】
掌側サブパーツ２０ａの外縁の所定の位置には、三角突起状の指標部ａ２〜ｃ２及びｆ２〜ｈ２が形成されている。このうち、指標部ａ２及びｈ２は、手首に対応する位置に設けられている。他方、指標部ｂ２及びｃ２は、掌側人差し指部分２１の第３関節及び先端に対応する位置に、指標部ｆ２及びｇ２は、掌側小指部分２２の先端及び第３関節に対応する位置に、それぞれ設けられている。
【００２１】
また、図４に示すように、掌側サブパーツ２０ｂは、中指の掌側を収容する掌側中指部分２４及び薬指の掌側を収容する掌側薬指部分２５を有している。なお、掌側中指部分２４と掌側薬指部分２５との間の符号２６は、切り込みを示している。
【００２２】
掌側サブパーツ２０ｂの外縁において、掌側中指部分２４の先端に対応する位置には指標部ｄ２が、掌側薬指部分２５の先端に対応する位置には指標部ｅ２が、それぞれ設けられている。
【００２３】
［指標部間の距離の関係］
甲側パーツ１０に設けられている指標部ａ１〜ｈ１は、掌側パーツ２０に設けられている指標部ａ２〜ｈ２とそれぞれ縫い合わせられる。ここで、掌側パーツ２０における指標部ａ２及びｂ２間、並びに指標部ｇ２及びｈ２間の距離は、甲側パーツ１０における指標部ａ１及びｂ１間、並びに指標部ｇ１及びｈ１間の距離とそれぞれ同一である。他方、掌側パーツ２０における指標部ｂ２及びｃ２間、並びに指標部ｆ２及びｇ２間の距離は、甲側パーツ１０における指標部ｂ１及びｃ１間、並びに指標部ｆ１及びｇ１間の距離よりも小さくなっている。本実施の形態の場合、指標部ｂ２及びｃ２間、並びに指標部ｆ２及びｇ２間の距離は、指標部ｂ１及びｃ１間、並びに指標部ｆ１及びｇ１間の距離の９０％となっている。
【００２４】
上記のように構成された掌側サブパーツ２０ａ及び２０ｂが縫い合わせられることにより掌側パーツ２０が得られ、その後、その掌側パーツ２０と甲側パーツ１０とが縫い合わせられる。掌側パーツ２０及び甲側パーツ１０が縫い合わせられる際、指標部ａ１とａ２、ｂ１とｂ２、ｃ１とｃ２、ｄ１とｄ２、ｅ１とｅ２、ｆ１とｆ２、ｇ１とｇ２、ｈ１とｈ２が、それぞれ縫い合わせられる。ここで、上述したように、指標部ｂ２及びｃ２間、並びに指標部ｆ２及びｇ２間の距離は、指標部ｂ１及びｃ１間、並びに指標部ｆ１及びｇ１間の距離の９０％となっているため、人差し指及び小指を収容する部分において、甲側パーツ１０が掌側に引っ張られた状態で縫い合わされることになる。
【００２５】
また、掌側中指部分２４の第３関節から先端（指標部ｄ２が設けられている部位）までの距離は  甲側中指部分１２の第３関節から先端（指標部ｄ１が設けられている部位）までの距離の９０％となっている。同様に、掌側薬指部分２５の第３関節から先端（指標部ｅ２が設けられている部位）までの距離も、甲側薬指部分１３の第３関節から先端（指標部ｅ１が設けられている部位）までの距離の９０％となっている。そのため、中指及び薬指を収容する部分においても、甲側パーツ１０が掌側に引っ張られた状態で縫い合わされることになる。
【００２６】
詳細な説明は省略するが、上述したようにして縫合された甲側パーツ１０及び掌側パーツ２０に対して、親指パーツ３０が縫い合わせられる。これにより、縫製手袋１が得られる。
【００２７】
図５は、縫製手袋１の側面を模式的に示す図である。なお、図５において、符号Ａ及びＢは、指標部ａ１及びａ２並びに指標部ｂ１及びｂ２の位置をそれぞれ示している。上述したように、甲側パーツ１０が掌側に引っ張られた状態で縫い合わせられるため、図５に示すとおり、人差し指から小指までの各手指を収容する指袋部分が掌側に向けて屈曲することになる。
【００２８】
［比較例］
以下、比較例として従来の縫製手袋の構成を説明する。図６及び図７はそれぞれ、従来の縫製手袋を構成する甲側パーツ及び掌側サブパーツの概略構成図である。また、図８は、従来の縫製手袋の側面を模式的に示す図である。これらの図６乃至図８において、本実施の形態の縫製手袋１に対応する構成については、同一又は対応する符号を付している。
【００２９】
図６に示すように、甲側パーツ１００の外縁の所定の位置には、指標部ａ１、ｃ１〜ｆ１、及びｈ１が形成されている。また、図７に示すように掌側サブパーツ２００ａの外縁の所定の位置には、指標部ａ２、ｃ２、ｆ２及びｈ２が形成されている。なお、もう一つの掌側サブパーツについては説明を省略する。掌側パーツ２００ａにおける指標部ａ２及びｃ２間、並びに指標部ｆ２及びｈ２間の距離は、掌側パーツ２００ａにおける指標部ａ１及びｃ１間、並びに指標部ｆ１及びｈ１間の距離と同一である。そのため、対応する各指標部同士を縫い合わせると、図８に示すように、人差し指から小指までの各手指を収容する指袋部分は直立した状態となる。
【００３０】
本実施の形態の縫製手袋１の場合、上記の比較例における指標部ａ１及びｃ１間、指標部ａ２及びｃ２間、指標部ｆ１及びｈ１間、並びに指標部ｆ２及びｈ２間に、指標部ｂ１、ｂ２、ｇ１、及びｇ２をそれぞれ設けた上で、指標部ｂ２及びｃ２間、並びに指標部ｆ２及びｇ２間の距離を、指標部ｂ１及びｃ１間、並びに指標部ｆ１及びｇ１間の距離よりも小さくしている。これにより、対応する指標部同士を縫い合わせるだけで、４本の手指を収容する指袋部分が予め掌側に屈曲されている縫製手袋を得ることができる。そのため、従来よりも低コストで、作業用・スポーツ用等に適した縫製手袋を製造することが可能になる。
【００３１】
なお、本実施の形態では、人差し指から小指までの各手指の第３関節に対応する位置に指標部を設けているが、これに代えて、各手指の他の関節に対応する位置に指標部を設けるようにしてもよい。また、これらのように各手指の関節に対応する位置には指標部を設けずに、他の位置に設けるようにしても構わない。但し、指標部が関節に対応する位置にある場合、当該位置において指袋部分を掌側に屈曲させることができるため、手指の折り曲げ動作をサポートする効果がより一層顕著となり、好ましい。
【００３２】
また、本実施の形態において、指標部ｂ２及びｃ２間、並びに指標部ｆ２及びｇ２間の距離は、指標部ｂ１及びｃ１間、並びに指標部ｆ１及びｇ１間の距離の９０％となっているが、本発明はこれに限定されるわけではない。甲側パーツ１０及び掌側パーツ２０の伸縮率及び縫製手袋１の用途等に応じて適した数値が採用される。但し、この比率が大きすぎると、手指の折り曲げ動作をサポートする等の効果が生じにくくなるため、９５％以下が好ましく、９０％以下がより好ましい。
【００３３】
（実施の形態２）
実施の形態１では、人差し指及び小指における第３関節及び先端に対応する位置に指標部がそれぞれ設けられているが、本発明はこれに限定されるわけではなく、第３関節から先端までの間にさらに指標部が設けられていてもよい。本実施の形態は、人差し指及び小指における第３関節、第１関節（遠位指節関節）及び先端に対応する位置に指標部がそれぞれ設けられている例である。以下、本実施形態の縫製手袋の構成について詳述するが、実施の形態１の場合と同様の構成については説明を適宜省略する。
【００３４】
［甲側パーツの構成］
図９は甲側パーツ４０の概略構成図である。図９に示すように、甲側パーツ４０の外縁の所定の位置には、実施の形態１の場合と同様に指標部ａ１〜ｈ１が形成されており、さらに、指標部ｂ１及びｃ１間に指標部ｊ１が、指標部ｆ１及びｇ１間に指標部ｋ１が、それぞれ形成されている。これらの指標部ｊ１及びｋ１は、人差し指及び小指の第１関節に対応する位置に設けられている。
【００３５】
なお、図示は省略するが、甲側中指部分１２及び甲側薬指部分１３においても、中指及び薬指の第１関節に対応する位置に指標部が設けられている。
【００３６】
［掌側パーツの構成］
図１０は掌側サブパーツ５０ａの概略構成図である。図１０に示すように、掌側サブパーツ５０ａの外縁の所定の位置には、実施の形態１の場合と同様に指標部ａ２〜ｃ２及びｆ２〜ｈ２が形成されており、さらに、指標部ｂ２及びｃ２間に指標部ｊ２が、指標部ｆ２及びｇ２間に指標部ｋ２が、それぞれ形成されている。これらの指標部ｊ２及びｋ２は、掌側人差し指部分２１及び掌側小指部分２２の第１関節に対応する位置に設けられている。
【００３７】
なお、もう一つの掌側サブパーツについては説明を省略するが、同様にして掌側中指部分及び掌側薬指部分の第１関節に対応する位置に指標部が設けられている。
【００３８】
［指標部間の距離の関係］
実施の形態１の場合と同様に、掌側パーツ２０における指標部ａ２及びｂ２間、並びに指標部ｇ２及びｈ２間の距離は、甲側パーツ１０における指標部ａ１及びｂ１間、並びに指標部ｇ１及びｈ１間の距離とそれぞれ同一である。他方、掌側パーツ２０における指標部ｂ２及びｊ２間、並びに指標部ｋ２及びｇ２間の距離は、甲側パーツ１０における指標部ｂ１及びｊ１間、並びに指標部ｋ１及びｇ１間の距離の９０％となっている。また、掌側パーツ２０における指標部ｊ２及びｃ２間、並びに指標部ｆ２及びｋ２間の距離は、甲側パーツ１０における指標部ｊ１及びｃ１間、並びに指標部ｆ１及びｋ１間の距離の８０％となっている。
【００３９】
上記のように構成された掌側サブパーツ５０ａともう一つの掌側サブパーツとが縫い合わせられることにより掌側パーツが得られ、その後、その掌側パーツ及び甲側パーツ４０が縫い合わせられる。上述したように、指標部ｂ２及びｊ２間、並びに指標部ｋ２及びｇ２間の距離は、指標部ｂ１及びｊ１間、並びに指標部ｋ１及びｇ１間の距離の９０％となっている。そのため、人差し指及び小指を収容する部分のうち、第３関節から第１関節までに至る領域において、甲側パーツ１０が掌側に引っ張られた状態で縫い合わされることになる。また、指標部ｊ２及びｃ２間、並びに指標部ｆ２及びｋ２間の距離は、指標部ｊ１及びｃ１間、並びに指標部ｆ１及びｋ１間の距離の８０％となっている。そのため、人差し指及び小指を収容する部分のうち、第１関節から先端までに至る領域においては、甲側パーツ１０が掌側により一層引っ張られた状態で縫い合わされることになる。
【００４０】
なお、中指部分及び薬指部分についても同様に縫い合わせられるが、詳細な説明は省略する。また、甲側パーツ４０及び掌側パーツ５０に対して、親指パーツ３０が縫い合わせられる点についても詳細な説明を省略する。
【００４１】
図１１は、実施の形態２の縫製手袋の側面を模式的に示す図である。なお、図１１において、符号Ａ、Ｂ及びＪは、指標部ａ１及びａ２、指標部ｂ１及びｂ２、並びに指標部ｊ１及びｊ２の位置をそれぞれ示している。上述したように、甲側パーツ４０が掌側に引っ張られた状態で縫い合わせられるため、図１１に示すとおり、人差し指から小指までの各手指を収容する指袋部分が掌側に向けて屈曲している。ここで、各手指の第１関節に対応する位置から先端までは、第３関節に対応する位置から第１関節に対応する位置までと比べると、より一層掌側に屈曲している。これにより、実施の形態１の場合と比べると、折り曲げられた手指の形状により近い形状の指袋部分を得ることができる。
【００４２】
なお、本実施の形態では、人差し指から小指までの各手指の第１関節及び第３関節に対応する位置に指標部を設けているが、これに代えて、またはこれと共に、各手指の第２関節（近位指節関節）に対応する位置に指標部を設けるようにしてもよい。また、これらのように各手指の関節に対応する位置に代えて、または当該位置と共に、関節以外の部位に対応する位置に指標部を設けていても構わない。但し、指標部が関節に対応する位置にある場合、当該位置において指袋部分を掌側に屈曲させることができるため、手指の折り曲げ動作をサポートする効果がより一層顕著となり、好ましい。
【００４３】
また、本実施の形態では、掌側パーツ４０の各手指の先端側における指標部（ｊ２及びｃ２並びにｆ２及びｋ２）間の距離の、甲側パーツ５０ａの対応する指標部（ｊ１及びｃ１並びにｆ１及びｋ１）間の距離に対する比率（以下、「第１の比率」という）が、同じく第３関節側における指標部（ｂ２及びｊ２並びにｋ２及びｇ２）間の距離の、同じく指標部（ｂ１及びｊ１並びにｋ１及びｇ１）間の距離に対する比率（以下、「第２の比率」という）よりも小さくなっているが、反対に大きくなっていても構わない。この場合、甲側に反る構造となる。怪我等の理由により手指を甲側に反らせた状態を維持する必要がある場合、筋力を鍛錬する場合等に有効である。
【００４４】
また、本実施の形態では、第１の比率が８０％で、第２の比率が９０％であるが、これらは例示であって、実施の形態１の場合と同様に、甲側パーツ１０及び掌側パーツ２０の伸縮率及び縫製手袋１の用途等に応じて適した数値が採用される。但し、この比率が大きすぎると、手指の折り曲げ動作をサポートする等の効果が生じにくくなる。そのため、第１の比率については、８５％以下が好ましく、８０％以下がより好ましい。また、第２の比率については、実施の形態１の場合と同様に、９５％以下が好ましく、９０％以下がより好ましい。
【００４５】
（その他の実施の形態）
上記の各実施の形態では、人差し指から小指までの各手指を収容する指袋部分を掌側に屈曲させているが、これに加えて親指を収容する指袋部分を掌側に屈曲させるようにしてもよい。この構造は、親指の掌側を収容する部分において形成された複数の指標部間の距離を、同じく甲側を収容する部においえて形成された複数の指標部間の距離よりも小さくした上で、対応する指標部同士を縫い合わせることにより実現することができる。
【００４６】
また、上記の各実施の形態では、指標部が三角突起状となっているが、これに限定されるわけではない。例えば、指標部が、半円突起状等の他の形状であってもよく、所定の形状が欠落した欠落部を指標部としてもよい。
【産業上の利用可能性】
【００４７】
本発明の縫製手袋は、作業用・スポーツ用のガンカット型の縫製手袋などとして有用である。
【符号の説明】
【００４８】
１  縫製手袋
１０  甲側パーツ
１１  甲側人差し指部分
１２  甲側中指部分
１３  甲側薬指部分
１４  甲側小指部分
２０  掌側パーツ
２０ａ  掌側サブパーツ
２１  掌側人差し指部分
２２  掌側小指部分
２０ｂ  掌側サブパーツ
２４  掌側中指部分
２５  掌側薬指部分
３０  親指パーツ
４０  甲側パーツ
５０ａ  掌側サブパーツ
ａ１〜ｈ１，ａ２〜ｈ２，ｊ１，ｋ１，ｊ２，ｋ２  位置合わせ指標部
【図１】
2019151939.tif 000003
【図２】
2019151939.tif 000004
【図３】
2019151939.tif 000005
【図４】
2019151939.tif 000006
【図５】
2019151939.tif 000007
【図６】
2019151939.tif 000008
【図７】
2019151939.tif 000009
【図８】
2019151939.tif 000010
【図９】
2019151939.tif 000011
【図１０】
2019151939.tif 000012
【図１１】
2019151939.tif 000013